(57)【要約】【課題】給油された燃料を別の燃料用の燃料容器に混入させないこと【解決手段】補給対象の燃料の燃料種別情報を送る送信手段（送受信手段１６）が具備された給油設備１０を設ける。そして、複数種類の燃料毎に用意された複数の燃料容器２１Ａ，２１Ｂ、１つの給油口２２ａから給油された燃料が流れる燃料補給主通路２２、この燃料補給主通路２２と各燃料容器２１Ａ，２１Ｂとを各々連通させる燃料補給副通路２４Ａ，２４Ｂ、燃料補給主通路２２を各燃料補給副通路２４Ａ，２４Ｂの内の何れか１本に連通させる流路切替手段２５、給油設備１０からの燃料種別情報を受け取る受信手段（送受信手段２７）及び当該受信手段が受け取った燃料種別情報に基づき流路切替手段２５を駆動制御して燃料補給主通路２２を当該燃料種別情報の燃料に該当する燃料補給副通路２４Ａ（２４Ｂ）に連通させる制御手段（電子制御装置２６）が具備された燃料貯留装置２０を設けること。【選択図】        図１
2008030779.tif 000002
【特許請求の範囲】
【請求項１】
補給対象の燃料についての燃料種別情報を送る送信手段が具備された給油設備と、
複数種類の燃料毎に用意された複数の燃料容器，１つの給油口から給油された燃料が流れる燃料補給主通路，該燃料補給主通路と前記各燃料容器とを各々連通させる複数の燃料補給副通路，前記燃料補給主通路を前記各燃料補給副通路の内の何れか１本に連通させる流路切替手段，前記給油設備の送信手段からの燃料種別情報を受け取る受信手段，及び当該受信手段が受け取った燃料種別情報に基づき前記流路切替手段を駆動制御して前記燃料補給主通路を当該燃料種別情報の燃料に該当する前記燃料補給副通路に連通させる制御手段が具備された燃料貯留装置と、
を設けたことを特徴とする燃料補給システム。
【請求項２】
前記給油設備は、燃料を給油する１本の給油ノズルと、複数種類の燃料の流路を切り替えて補給対象の燃料を前記給油ノズルに導く燃料供給経路と、該燃料供給経路の流路切替を行う制御手段と、を備え、
この給油設備における燃料供給経路の流路切替時期と前記燃料貯留装置における前記燃料補給主通路及び前記各燃料補給副通路間の流路切替時期とを同期させるべく当該給油設備及び燃料貯留装置の各々の制御手段を構成したことを特徴とする請求項１記載の燃料補給システム。
【発明の詳細な説明】
【技術分野】
【０００１】
本発明は、給油ノズル等を備えた給油設備と、複数種類の燃料を夫々の燃料毎に貯留する燃料容器を備えた燃料貯留装置と、で構成され、その夫々の燃料容器に対しての燃料の補給を行う燃料補給システムに関する。
【背景技術】
【０００２】
従来、性状の異なる複数種類の燃料を用いて運転される所謂多種燃料内燃機関が知られており、この種の多種燃料内燃機関を搭載した車輌においては、その夫々の燃料を給油設備から補給して貯留する燃料貯留装置が用意されている。例えば、その燃料貯留装置としては、下記の特許文献１に開示されたものがある。この特許文献１の燃料貯留装置は、夫々の燃料（ガソリン燃料、アルコール含有燃料）を燃料種別に応じて個別に貯留させる複数の燃料容器が具備されたものであり、その燃料容器内の燃料性状センサ（アルコール濃度検出手段）で給油設備から補給された燃料の種別を判別し、その補給燃料を何れの燃料容器に導くか決定して燃料の補給通路の切り替えを行うよう構成されている。
【０００３】
尚、下記の特許文献２には、車輌からガスステーションの装置に向けて燃料情報等を送信し、その燃料情報を給油作業者に知らしめる技術が開示されている。
【０００４】
【特許文献１】特開平５−２０９５６５号公報
【特許文献１】特開２００２−３４７９００号公報
【発明の開示】
【発明が解決しようとする課題】
【０００５】
しかしながら、上記特許文献１に記載の燃料貯留装置は、燃料性状センサで燃料容器内の燃料の性状変化を検知して初めてその燃料容器に補給された燃料が正確には別の燃料容器に補給すべきものであると判断するので、その判断が為されるまでに時間を要してしまう。また、燃料容器にはその判断が為されるまでの間に異種燃料が補給されてしまうので、その不純物が混入された混合燃料によって燃焼不良等を招く虞もある。
【０００６】
そこで、本発明は、かかる従来例の有する不都合を改善し、給油ノズルから給油される燃料の種別を迅速に判断でき、且つ、その給油された燃料を別の燃料用の燃料容器に混入させることのない燃料補給システムを提供することを、その目的とする。
【課題を解決するための手段】
【０００７】
上記目的を達成する為、請求項１記載の発明では、次のような給油設備と燃料貯留装置とによって燃料補給システムを構成する。先ず、給油設備については、補給対象の燃料についての燃料種別情報を送る送信手段を具備している。一方、燃料貯留装置については、複数種類の燃料毎に用意された複数の燃料容器，１つの給油口から給油された燃料が流れる燃料補給主通路，この燃料補給主通路と各燃料容器とを各々連通させる複数の燃料補給副通路，その燃料補給主通路を各燃料補給副通路の内の何れか１本に連通させる流路切替手段，給油設備の送信手段からの燃料種別情報を受け取る受信手段，及び当該受信手段が受け取った燃料種別情報に基づき流路切替手段を駆動制御して燃料補給主通路を当該燃料種別情報の燃料に該当する燃料補給副通路に連通させる制御手段を具備している。
【０００８】
この請求項１記載の燃料補給システムにおいては、給油設備から給油される燃料の種別を実際の給油前に燃料貯留装置側で迅速に知ることができ、これにより、燃料貯留装置における燃料の流路を給油燃料に応じて給油開始前に正しく切り替えることができる。これが為、この燃料補給システムにおいては、給油ノズルから給油された燃料の別の燃料用の燃料容器への混入を防ぐことができる。
【０００９】
また、上記目的を達成する為、請求項２記載の発明では、上記請求項１記載の燃料補給システムにおいて、給油設備は、燃料を給油する１本の給油ノズルと、複数種類の燃料の流路を切り替えて補給対象の燃料を給油ノズルに導く燃料供給経路と、この燃料供給経路の流路切替を行う制御手段と、を備えている。そして、この給油設備における燃料供給経路の流路切替時期と燃料貯留装置における燃料補給主通路及び各燃料補給副通路間の流路切替時期とを同期させるべく当該給油設備及び燃料貯留装置の各々の制御手段を構成している。
【００１０】
この請求項２記載の燃料補給システムにおいては、その夫々の流路切替時期を同期させることによって、給油口から抜き差しすることなく１本の給油ノズルで補給対象の複数種類の燃料を該当する燃料容器へと給油し続けることができるようになり、給油作業者の利便性が向上する。
【発明の効果】
【００１１】
本発明に係る燃料補給システムによれば、給油前に給油設備から受け取った燃料種別情報に基づいて給油ノズルから給油される燃料の種別を迅速に判断することができ、これにより、実際の給油作業が開始される前に（即ち、従来の如く燃料容器内へと異種燃料を混入させずに）燃料貯留装置における燃料の流路を正しく切り替えることができるので、補給対象の燃料が別の燃料用の燃料容器に給油されずにすむ。従って、夫々の燃料容器内には純度の高い（即ち、別の種類の燃料が混入されていない）燃料を貯留し続けることができるので、その純度の高い夫々の燃料を用いて各々の燃焼モードに沿った良好な燃焼を行うことができるようになる。
【発明を実施するための最良の形態】
【００１２】
以下に、本発明に係る燃料補給システムについての実施例を図面に基づいて詳細に説明する。尚、この実施例によりこの発明が限定されるものではない。
【実施例１】
【００１３】
本発明に係る燃料補給システムの実施例１を図１及び図２に基づいて説明する。この燃料補給システムは、複数種類の燃料の供給が可能な給油設備と、複数種類の燃料を当該燃料毎に用意した各燃料容器へと貯留させる燃料貯留装置と、で構成されたものである。ここでは、ガスステーション等に設置された給油設備と、複数種類の燃料を用いて運転される多種燃料内燃機関を駆動源とする車輌に搭載された燃料貯留装置と、を例示する。
【００１４】
図１の符号１０，２０は、各々本実施例１の給油設備と燃料貯留装置を示す。本実施例１においては、第１〜第３の燃料貯蔵タンク１１Ａ，１１Ｂ，１１Ｃ内に各々性状の異なる第１〜第３の燃料Ｆ１，Ｆ２，Ｆ３が貯蔵され、その第１〜第３の燃料Ｆ１，Ｆ２，Ｆ３の中から選択された１種類を燃料貯留装置２０に供給する給油設備１０について例示する。また、本実施例１の燃料貯留装置２０としては、２種類の燃料（ここでは、第１及び第２の燃料Ｆ１，Ｆ２）の貯留を行うものについて例示する。
【００１５】
先ず、本実施例１の給油設備１０には、第１〜第３の燃料Ｆ１，Ｆ２，Ｆ３毎に用意された第１〜第３の給油ノズル１２Ａ，１２Ｂ，１２Ｃと、その第１〜第３の給油ノズル１２Ａ，１２Ｂ，１２Ｃに各々の第１〜第３の燃料Ｆ１，Ｆ２，Ｆ３を導くポンプや燃料通路等からなる第１〜第３の燃料供給手段１３Ａ，１３Ｂ，１３Ｃと、給油作業者が所望の燃料種別等の給油情報を入力する入力手段１４と、が設けられている。例えば、給油作業者は、第１燃料Ｆ１を入力手段１４から選択し、第１給油ノズル１２Ａから第１燃料Ｆ１を燃料貯留装置２０に供給する。
【００１６】
一方、本実施例１の燃料貯留装置２０には、第１及び第２の燃料Ｆ１，Ｆ２を各々貯留する第１及び第２の燃料容器２１Ａ，２１Ｂと、給油口２２ａを有する燃料補給主通路２２と、その給油口２２ａを塞ぐ給油キャップ２３と、その燃料補給主通路２２を第１燃料容器２１Ａに連通させる第１燃料補給副通路２４Ａと、その燃料補給主通路２２を第２燃料容器２１Ｂに連通させる第２燃料補給副通路２４Ｂと、その燃料補給主通路２２を第１又は第２の燃料補給副通路２４Ａ，２４Ｂの内の何れか１本に連通させる流路切替手段２５と、が設けられている。
【００１７】
その流路切替手段２５は、例えば流路切替弁であり、燃料補給主通路２２を第１燃料補給副通路２４Ａに連通させると共に第２燃料補給副通路２４Ｂから遮断させ、又は、その燃料補給主通路２２を第２燃料補給副通路２４Ｂに連通させると共に第１燃料補給副通路２４Ａから遮断させる。この流路切替手段２５は、電子制御装置（ＥＣＵ）２６の駆動制御指令に従って作動させる。
【００１８】
ここで、例えば、本実施例１においては、給油設備１０側から受け取った補給対象の燃料の情報に応じて電子制御装置２６が流路切替手段２５の切替方向を求め、その切替方向となるように流路切替手段２５を電子制御装置２６に駆動制御させる。その補給対象の燃料の情報は、給油作業者が給油設備１０の入力手段１４から選択した燃料についての情報のことであり、その燃料種別選択時に給油設備１０の制御手段１５に認識させる。
【００１９】
そこで、本実施例１にあっては、少なくともその補給対象の燃料の情報について送信可能な送信手段を給油設備１０に配備する一方、少なくともその情報について受信可能な受信手段を燃料貯留装置２０に配備する。ここでは、情報の送受信を行う送受信手段１６，２７が夫々給油設備１０と燃料貯留装置２０に配設されている。例えば、その送受信手段１６，２７としては、相互間で無線通信を行うものが考えられ、ブルートゥースなどのような近距離無線通信手段が有用である。
【００２０】
その給油設備１０の送受信手段１６は、制御手段１５の指示に従って送受信アンテナ１６ａから情報送信を行う一方、その送受信アンテナ１６ａから受信した情報を制御手段１５に送る。また、燃料貯留装置２０の送受信手段２７についても同様に、送受信アンテナ２７ａから受信した情報を電子制御装置２６に送る一方、その電子制御装置２６の指示に従って送受信アンテナ２７ａから情報送信を行う。
【００２１】
以下に、そのように構成した本実施例１の燃料補給システムの動作について図２のフローチャートに基づき説明する。ここでは、給油作業者等のオペレータによる補給燃料の情報入力を契機にして本システムが作動するものとして例示する。
【００２２】
先ず、本実施例１においては、オペレータによって給油設備１０の入力手段１４から補給に必要な燃料の情報が入力される（ステップＳＴ１）。ここでの燃料情報としては、少なくとも入力手段１４から選択された燃料の燃料種別情報が必要とされる。尚、一般的には、その燃料種別情報の他に補給燃料量情報（満タン情報や指定燃料量情報等）についても入力される。
【００２３】
続いて、この給油設備１０の制御手段１５は、送受信手段１６に指示を送って送受信アンテナ１６ａから補給対象の燃料情報を送信させる（ステップＳＴ２）。ここでの燃料情報としては、上記ステップＳＴ１にて入力された燃料情報の内で少なくとも燃料種別情報については必ず送信させる。
【００２４】
そして、その補給対象の燃料情報が燃料貯留装置２０の送受信アンテナ２７ａで受信された際、この燃料貯留装置２０においては、その燃料情報が送受信手段２７から電子制御装置２６へと渡されて、その電子制御装置２６が給油口２２ａと補給対象の燃料に対応する燃料容器（第１燃料容器２１Ａ又は第２燃料容器２１Ｂ）とを連通させる（ステップＳＴ３）。本実施例１の燃料貯留装置２０においては、電子制御装置２６が流路切替手段２５を駆動制御して、燃料補給主通路２２を第１燃料補給副通路２４Ａに連通させると共に第２燃料補給副通路２４Ｂから遮断させ、又は、その燃料補給主通路２２を第２燃料補給副通路２４Ｂに連通させると共に第１燃料補給副通路２４Ａから遮断させる。
【００２５】
その電子制御装置２６は、ステップＳＴ３の動作が終了した後に、その旨を表す情報（連通完了情報）を送受信手段２７に指示を送って送受信アンテナ２７ａから送信させる（ステップＳＴ４）。
【００２６】
次に、その連通完了情報が給油設備１０の送受信アンテナ１６ａで受信されて送受信手段１６から制御手段１５へと渡された後に、この給油設備１０から補給対象の燃料の給油を開始させる（ステップＳＴ５）。ここでは、給油口２２ａと補給対象の燃料に対応する燃料容器とが確実に連通している状態にて給油を開始させる為に、例えば、受信した連通完了情報を給油設備１０におけるモニタ等の表示手段１７に表示させる。そして、その表示情報を見た給油作業者は、その補給対象の燃料に該当する給油ノズルを手にとって給油口２２ａに挿入し、その補給対象の燃料の給油を始める。尚、そのような表示情報に替えて音声情報を利用してもよい。
【００２７】
そして、本システムは、その補給対象の燃料の給油を終えた（ステップＳＴ６）際に動作を終了する。尚、もう一方の燃料の補給も行うのであれば、その燃料についての情報が上記ステップＳＴ１にて入力されるので、上記と同様の動作を繰り返してその燃料の給油が終わった時点で本システムを終了させる。
【００２８】
具体的に、例えば、補給対象の燃料が第１燃料Ｆ１の場合には、上記ステップＳＴ３にて燃料補給主通路２２が第１燃料補給副通路２４Ａに接続される。従って、上記ステップＳＴ５において給油作業者は、第１給油ノズル１２Ａを給油口２２ａに差し込んで第１燃料Ｆ１の給油を行う。その際、燃料補給主通路２２に給油された第１燃料Ｆ１は、第１燃料補給副通路２４Ａのみに流れ込み、第１燃料Ｆ１用の第１燃料容器２１Ａへと補給される。
【００２９】
このように、本実施例１の燃料補給システムは、給油設備１０から送られてきた補給対象の燃料の燃料種別情報に基づいて、その給油設備１０から給油される燃料の種別を実際の給油前に迅速に燃料貯留装置２０側で知ることができ、これにより、実際の給油作業が開始される前に燃料貯留装置２０における燃料補給経路の流路切替（燃料補給主通路２２と第１又は第２の燃料補給副通路２４Ａ，２４Ｂとの間の流路切替）を実行することができるので、給油開始直後に補給対象の燃料が別の燃料用の燃料容器へと給油されてしまう従来の不都合を解消することができる。即ち、通常、給油作業者が燃料種別を選択してから実際の給油作業に移るまでにはある程度の時間を要するものであり、この燃料補給システムにおいては、その間に燃料貯留装置２０における燃料補給経路の流路切替を完了させることができるので、補給対象の燃料が別の燃料用の燃料容器に給油されずにすむ。そして、これにより、第１及び第２の燃料容器２１Ａ，２１Ｂ内には純度の高い（即ち、別の種類の燃料が混入されていない）燃料を貯留し続けることができるので、その純度の高い夫々の燃料を用いて各々の燃焼モードに沿った良好な燃焼を行うことができる。
【００３０】
例えば、第１燃料Ｆ１を軽油とし、第２燃料Ｆ２をガソリンとした場合、多種燃料内燃機関においては、第１燃料Ｆ１を用いて圧縮空気中で自己着火させ、拡散燃焼を行わせる一方、燃焼室内の第２燃料Ｆ２と空気の混合気に点火プラグで着火して、火炎伝播燃焼させる。即ち、この場合の多種燃料内燃機関には、第１燃料Ｆ１を用いた圧縮自着火拡散燃焼モードと第２燃料Ｆ２を用いた予混合火花点火火炎伝播燃焼モードが用意されている。この場合、第１燃料容器２１Ａ内に第２燃料Ｆ２（ガソリン）が燃料補給時に混入され、第１燃料Ｆ１の純度が低下していくと、この第１燃料容器２１Ａ内の混合燃料の着火性が低下してしまう。そして、その着火性の低い燃料は、圧縮空気中で自己着火し難く、良好な燃焼を行うことができなくなる。従って、この多種燃料内燃機関に本実施例１の燃料補給システムを適用することによって、そのような異種燃料の混入を防ぐことができるので、燃焼モードに沿った良好な燃焼を行うことができるようになる。
【００３１】
尚、本実施例１においては、必ず燃料補給経路の流路切替完了後に給油作業が行われるように、上記ステップＳＴ４にて連通完了情報を送信させ、これを受け取った給油設備１０側においてその内容を表示させている。しかしながら、上述したように、通常であれば、給油作業者による燃料種別選択から実際の給油作業開始までの間に燃料補給経路の流路切替を終えることができるので、そのような連通完了情報の送信処理等は省略してもよい。
【００３２】
ところで、本実施例１の燃料補給システムは、オペレータによる燃料種別情報の入力動作を契機に作動させているが、燃料貯留装置２０に以下の如き演算処理を実行させるのであれば、次のような態様を採ってもよい。例えば、一般に、燃料貯留装置２０の電子制御装置２６は、夫々の燃料容器における燃料残存量を残量計等から把握しており、夫々の燃料容器においての必要燃料補給量を求めることができる。これが為、第１又は／及び第２の燃料容器２１Ａ，２１Ｂにおける必要燃料補給量の情報を燃料種別情報と共に送受信手段２７及び送受信アンテナ２７ａから送信させ、これらの情報を送受信手段１６及び送受信アンテナ１６ａを介して給油設備１０の制御手段１５に把握させることによって、オペレータが燃料種別情報を入力せずとも、燃料貯留装置２０からの受信情報を契機にして本システムを作動させることができる。尚、複数種類の燃料についての情報を燃料貯留装置２０から受信した場合、上記ステップＳＴ２においては任意に選択又は指定された１種類の燃料に係る情報を送信させ、この燃料の補給を終えた後に別の燃料に係る情報を送信させる。
【００３３】
また、本実施例１の燃料補給システムにおいては、給油設備１０から補給される燃料の種別を燃料貯留装置２０側にて把握できるように、これらに各々近距離無線通信手段等に代表される通信手段としての送受信手段１６，２７を設け、その燃料種別情報を給油設備１０側から燃料貯留装置２０側へと送らせている。しかしながら、その燃料種別情報については、必ずしもかかる態様の通信手段に依ることなく、第１〜第３の給油ノズル１２Ａ，１２Ｂ，１２Ｃに各々燃料種別の識別子を設け、これを燃料貯留装置２０側にて機械的又は電気的に検知させることによって認識させてもよい。
【００３４】
例えば、この種の技術としては、ＲＦＩＤ（ＲＡＤＩＯ  ＦＲＥＱＵＥＮＣＹ  ＩＤＥＮＴＩＦＩＣＡＴＩＯＮ）タグに関する技術を利用することができる。この場合には、例えば、第１〜第３の給油ノズル１２Ａ，１２Ｂ，１２Ｃの先端部分に各々該当する燃料種別のＲＦＩＤタグ（送信手段）を配備する一方、燃料貯留装置２０の給油口２２ａの近傍にそのＲＦＩＤタグの情報を読み取る受信手段を設ければよい。これにより、給油ノズル（第１〜第３の給油ノズル１２Ａ，１２Ｂ，１２Ｃの内の何れか１つ）が給油口２２ａへと近づけられた際に、その給油ノズルのＲＦＩＤタグの燃料種別情報が燃料貯留装置２０の受信手段にて読み取られ、この読み取った燃料種別情報に基づいて流路切替手段２５が駆動制御される。従って、かかる態様の燃料補給システムによれば、給油ノズルから給油された燃料が間違われることなく同一種別用の燃料容器に補給されるようになる。
【実施例２】
【００３５】
次に、本発明に係る燃料補給システムの実施例２を図３及び図４に基づいて説明する。この燃料補給システムは、前述した実施例１と同様に、複数種類の燃料の供給が可能な給油設備と、複数種類の燃料を当該燃料毎に用意した各燃料容器へと貯留させる燃料貯留装置と、で構成されたものであり、ここでは、ガスステーション等に設置された給油設備と、多種燃料内燃機関を駆動源とする車輌の燃料貯留装置と、を例示する。
【００３６】
この本実施例２の燃料補給システムは、実施例１の燃料補給システムにおいて給油設備１０の変更により給油作業者の利便性を向上させたものであり、その給油設備１０に対して給油系統が変更された図３に示す給油設備１１０と、実施例１と同様の燃料貯留装置２０と、で構成する。
【００３７】
具体的に、本実施例２の給油設備１１０は、複数種類の燃料を１本の給油ノズルから個別に給油できるようにしたものであり、給油ノズル１１２と、この給油ノズル１１２に第１〜第３の燃料Ｆ１，Ｆ２，Ｆ３の中から選択された１種類の燃料を導く燃料給油主通路１１８と、この燃料給油主通路１１８へと第１〜第３の燃料貯蔵タンク１１Ａ，１１Ｂ，１１Ｃ内の第１〜第３の燃料Ｆ１，Ｆ２，Ｆ３を各々導くポンプや燃料通路等からなる第１〜第３の燃料供給手段１１３Ａ，１１３Ｂ，１１３Ｃと、その燃料給油主通路１１８を第１〜第３の燃料供給手段１１３Ａ，１１３Ｂ，１１３Ｃの内の何れか１つの燃料通路に連通させる流路切替手段１１９と、を備えている。
【００３８】
その流路切替手段１１９は、例えば流路切替弁であり、制御手段１５の駆動制御指令に従って作動させる。例えば、入力手段１４から第１燃料Ｆ１が選択された場合、制御手段１５は、流路切替手段１１９を駆動制御して、燃料給油主通路１１８を第１燃料供給手段１１３Ａの燃料通路に連通させると共に第２及び第３の燃料供給手段１１３Ｂ，１１３Ｃの各燃料通路から遮断させる。これにより、その燃料給油主通路１１８には第１燃料Ｆ１のみが導かれ、給油ノズル１１２から第１燃料Ｆ１を給油することができる。
【００３９】
このように、本実施例２にあっては、上述した燃料給油主通路１１８と、第１〜第３の燃料供給手段１１３Ａ，１１３Ｂ，１１３Ｃの夫々の燃料通路と、流路切替手段１１９と、によって給油ノズル１１２への燃料供給経路が構成され、この燃料供給経路の流路切替を行うことで燃料が切り替えられる。
【００４０】
ここで、そのような複数種類の燃料の給油が可能な給油ノズル１１２は、一度給油口２２ａに挿入すれば、その給油口２２ａから抜き差しすることなく補給対象の複数種類の燃料を給油し続けることができる。しかしながら、給油設備１１０における燃料供給経路の流路切替時期（燃料切替時期）が燃料貯留装置２０における燃料補給経路の流路切替時期に適応していなければ、貯留対象ではない間違った燃料が燃料容器内に補給されてしまう虞がある。
【００４１】
そこで、本実施例２においては、その夫々の流路切替時期を同期させるべく、給油設備１１０の制御手段１５と燃料貯留装置２０の電子制御装置２６を構成する。
【００４２】
ところで、給油設備１１０には、その燃料給油主通路１１８内の残存燃料を該当する第１〜第３の燃料貯蔵タンク１１Ａ，１１Ｂ，１１Ｃに戻すべく、各々リターン通路（図示略）を設けることが好ましい。そして、給油設備１１０における燃料供給経路の流路切替は、切り替え前の燃料の給油停止後、少し時間を置いてから実行させることが好ましい。その間隔としては、例えば、給油停止後の燃料給油主通路１１８内の燃料がリターン通路から燃料貯蔵タンクへと戻る時間，又は燃料補給主通路２２内の燃料が第１燃料補給副通路２４Ａ若しくは第２燃料補給副通路２４Ｂへと流れ終える時間の内で長い方を設定する。これにより、切り替え前の燃料の切り替え後の燃料に該当する燃料容器への混入を防ぐことができる。
【００４３】
以下に、そのように構成した本実施例２の燃料補給システムの動作について図４のフローチャートに基づき説明する。本実施例２においても、給油作業者等のオペレータによる補給燃料の情報入力を契機にして本システムが作動するものとして例示する。
【００４４】
本実施例２においては、実施例１と同様に、オペレータによって給油設備１１０の入力手段１４から補給に必要な燃料の情報が入力され（ステップＳＴ１１）、その補給対象の燃料の情報が制御手段１５の指示に従って送信される（ステップＳＴ１２）。
【００４５】
そして、本実施例２の制御手段１５は、その補給対象の燃料情報の送信後例えば所定時間（上述した間隔でもよい）経過後に、補給対象の燃料の燃料貯蔵タンク（第１燃料貯蔵タンク１１Ａ，第２燃料貯蔵タンク１１Ｂ又は第３燃料貯蔵タンク１１Ｃ）と給油ノズル１１２とを連通させる（ステップＳＴ１３）。
【００４６】
一方、その補給対象の燃料情報を実施例１と同様にして受信した燃料貯留装置２０においては、その受信後上記の所定時間（上述した間隔でもよい）経過後に、その電子制御装置２６が給油口２２ａと補給対象の燃料に対応する燃料容器（第１燃料容器２１Ａ又は第２燃料容器２１Ｂ）とを連通させる（ステップＳＴ１４）。しかる後、その電子制御装置２６は、ステップＳＴ１４の動作が終了した後に、その旨を表す情報（連通完了情報）を送受信手段２７に指示を送って送受信アンテナ２７ａから送信させる（ステップＳＴ１５）。
【００４７】
次に、その連通完了情報が給油設備１１０の送受信アンテナ１６ａで受信されて送受信手段１６から制御手段１５へと渡された後に、この給油設備１１０から補給対象の燃料の給油を開始させ（ステップＳＴ１６）、この補給対象の燃料の給油を終えた後（ステップＳＴ１７）、その制御手段１５は、上記ステップＳＴ１１で入力された全種類の補給対象の燃料についての給油を終えたか否か判断する（ステップＳＴ１８）。そして、全ての補給対象の燃料を給油し終えていなければ上記ステップＳＴ１２に戻って同様の動作を繰り返し、全ての補給対象の燃料を給油し終えていれば本システムの動作を終了させる。
【００４８】
このように、本実施例２の燃料補給システムは、実施例１と同様に、給油設備１１０から送られてきた補給対象の燃料の燃料種別情報に基づいて、その給油設備１１０から給油される燃料の種別を実際の給油前に迅速に燃料貯留装置２０側で知ることができ、実際の給油作業が開始される前に燃料貯留装置２０における燃料補給経路の流路切替を実行するので、補給対象の燃料についての別の燃料用の燃料容器への給油を回避することができる。従って、この本実施例２の燃料補給システムにおいても、純度の高い夫々の燃料を用いて各々の燃焼モードに沿った良好な燃焼を行うことができるようになる。また、この燃料補給システムにおいては、その燃料貯留装置２０における燃料補給経路の流路切替時期を給油設備１１０における燃料供給経路の流路切替時期（燃料切替時期）に同期させるので、給油口２２ａから抜き差しすることなく１本の給油ノズル１１２で補給対象の複数種類の燃料を該当する燃料容器へと給油し続けることができるようになり、給油作業者の利便性が向上する。
【００４９】
ところで、本実施例２の燃料補給システムは、オペレータによる燃料種別情報の入力動作ではなく、実施例１にて説明したように、燃料貯留装置２０から受信した第１又は／及び第２の燃料容器２１Ａ，２１Ｂにおける必要燃料補給量の情報を契機にして作動させてもよい。
【産業上の利用可能性】
【００５０】
以上のように、本発明に係る燃料補給システムは、燃料を別の燃料用の燃料容器に混入させることなく給油ノズルから給油させる技術に有用である。
【図面の簡単な説明】
【００５１】
【図１】本発明に係る実施例１の燃料補給システムの構成を示す図である。
【図２】実施例１の燃料補給システムの動作を説明するフローチャートである。
【図３】本発明に係る実施例２の燃料補給システムの構成を示す図である。
【図４】実施例２の燃料補給システムの動作を説明するフローチャートである。
【符号の説明】
【００５２】
１０  給油設備
１１Ａ  第１燃料貯蔵タンク
１１Ｂ  第２燃料貯蔵タンク
１１Ｃ  第３燃料貯蔵タンク
１２Ａ  第１給油ノズル
１２Ｂ  第２給油ノズル
１２Ｃ  第３給油ノズル
１３Ａ  第１燃料供給手段
１３Ｂ  第２燃料供給手段
１３Ｃ  第３燃料供給手段
１４  入力手段
１５  制御手段
１６  送受信手段
２０  燃料貯留装置
２１Ａ  第１燃料容器
２１Ｂ  第２燃料容器
２２ａ  給油口
２２  燃料補給主通路
２４Ａ  第１燃料補給副通路
２４Ｂ  第２燃料補給副通路
２５  流路切替手段
２６  電子制御装置
２７  送受信手段
１１０  給油設備
１１２  給油ノズル
１１３Ａ  第１燃料供給手段
１１３Ｂ  第２燃料供給手段
１１３Ｃ  第３燃料供給手段
１１８  燃料給油主通路
１１９  流路切替手段
Ｆ１  第１燃料
Ｆ２  第２燃料
Ｆ３  第３燃料
【図１】
2008030779.tif 000003
【図２】
2008030779.tif 000004
【図３】
2008030779.tif 000005
【図４】
2008030779.tif 000006